(57)【要約】【課題】  生分解処理が可能な植物性繊維材料を利用し、幼苗の生育を良好なものとし、細菌や黴による育苗床の変質や損傷を防止すると共に、そのまま土中において分解し生分解され、残床処理の必要がない育苗床を提供すること。【解決手段】  竹、葦等イネ科植物の非木材繊維と、打壊処理されたパーム繊維と、床内保水防腐剤とからなる主材料からなる混合材料を所定の厚さに成型後乾燥させた育苗床本体２と、上記混合材料と同様の素材を細分化した材料に少量の土を混合して薄く成型後乾燥させた育苗床用覆土材１とからなり、播種後育苗床本体２に育苗床用覆土材を重積させた育苗床。【選択図】        図１
2006223171.tif 000002
【特許請求の範囲】
【請求項１】
細粉化された竹繊維と、葦・藁・薄等のイネ科植物繊維とからなる非木材繊維と、打壊処理されたパーム繊維と、少量の防腐剤と、少量の土とからなる混合材料を所定の厚さに成型後乾燥させてなる育苗床用覆土材。
【請求項２】
細粉化された竹繊維と、葦・藁・薄等のイネ科植物繊維とからなる非木材繊維と、打壊処理されたパーム繊維と、少量の防腐剤と、少量の土と、更に防黴剤、水浄化剤の１種類以上の成分を添加した混合材料を所定の厚さに成型後乾燥させてなる育苗床用覆土材。
【請求項３】
竹、葦等イネ科植物の非木材繊維と打壊処理された、パーム繊維と、少量の床内保水防腐剤とからなる混合材料を所定厚さに成型後乾燥させて得た育苗床本体(2)と、細粉化された竹繊維と、葦・藁・薄等のイネ科植物繊維とからなる非木材繊維と、打壊処理されたパーム繊維と、少量の防腐剤と、少量の土とからなる混合材料を前記育苗床本体(2)よりも薄く成型後乾燥させて得た育苗床用覆土材(1)とからなる育苗床。
【請求項４】
竹、葦等イネ科植物の非木材繊維と、打壊処理されたパーム繊維と、少量の床内保水防腐剤と、更に防黴剤、育苗水浄化剤、少量の肥料のうちから少なくとも１種類以上の成分を添加した混合材料を所定厚さに成型後乾燥させて得た育苗床本体(2)と、細粉化された竹繊維と、葦・藁・薄等のイネ科植物繊維とからなる非木材繊維と、打壊処理されたパーム繊維と、少量の防腐剤と、少量の土と、更に防黴剤、水浄化剤の１種類以上の成分を添加した混合材料を前記育苗床本体(2)よりも薄く成型後乾燥させて得た育苗床用覆土材(1)とからなる育苗床。
【発明の詳細な説明】
【技術分野】
【０００１】
本発明は、特に生分解処理が可能な非木材系の繊維を主体とし、使用後の残床処理を不要として農作業の省力化をはかり、自然界の資源を保護し、廃棄するに際しても環境公害問題をも解決し得ると共に、播種された種子を保護して流失等移動を防止し、更には発芽時に於いて幼芽・幼根の正常な発育を促す作用を有する育苗床用覆土材と育苗床に関するものである。
【背景技術】
【０００２】
現在広く使用されている稲用の育苗床については、周知のごとく、育苗箱の中に通常の土壌の層若しくは播種を行うマットを配置し、播種後覆土を行う構造のものが多用されている。最も普及しているマットは、その原材料は化学物質製のものであって、発泡状態又は繊維状態の合成樹脂をシート状等所定の形状に成形したものが用いられている。
【０００３】
この様な原材料からなる従来の育苗床は、原材料そのものが生分解されない物質であるために、育苗後に残された育苗床（残床）の除去並びに廃棄処理に多大の手数を要する欠点があった。又、この手数を少しでも省く目的で、田植え時にそのま土中に埋没させてしまう場合もあるが、この様な処理が度重なるとその後の栽培に重大な支障をきたすので問題事項となっていた。更に、手数をかけて除去した残床の処分に関しても、例えば埋め立て地などで土中に埋没させても何時までも腐敗せず、焼却処分するときには有害ガスを発生するので、環境の破壊や汚染、更には公害が発生するという問題点があった。この問題点を解消するために本願出願人は空地や未利用地に於いて発生する廃材を活用し、添加物、混合物にも天然物質を用いた板状の育苗マットや容器を開発した。
【特許文献１】特開２００４−１８７６１７号公報
【特許文献２】特開２００４−２１５５５０号公報
【発明の開示】
【発明が解決しようとする課題】
【０００４】
そこで、本発明に於いては、上記従来の欠点や問題事項並びに課題を解決するために、安価で且つ生分解処理が可能な再生材或いは未利用資源である植物性材料を利用して、大量生産が可能で細菌や黴による育苗床の変質や損傷を防止すると共に、廃棄するに際してもそのまま土中に廃棄、放置しても生分解され、有害物質を発生することがなく、土質改良にも有用であると共に、覆土後に潅水することにより種子間の空間を埋めて播種された種子を保護して流失や移動を防止し、更には発芽時に於いて幼芽・幼根の正常な発育を促す作用を有する育苗床を提供することを目的とする。
【課題を解決するための手段】
【０００５】
該目的を達成するために講じた本発明の手段を、実施例の説明と共通の用語、符号により説明すると、請求項1に記載の第１発明は、細粉化された竹繊維と、葦・藁・薄等のイネ科植物繊維とからなる非木材繊維と、打壊処理されたパーム繊維と、少量の防腐剤と、少量の土とからなる混合材料を所定の厚さに成型後乾燥させてなる育苗床用覆土材である。
【０００６】
又、請求項２に記載の第2発明は、細粉化された竹繊維と、葦・藁・薄等のイネ科植物繊維とからなる非木材繊維と、打壊処理されたパーム繊維と、少量の防腐剤と、少量の土と、更に防黴剤、水浄化剤の１種類以上の成分を添加した混合材料を所定の厚さに成型後乾燥させてなる育苗床用覆土材である。
【０００７】
又、請求項３に記載の第３発明は、竹、葦等イネ科植物の非木材繊維と、打壊処理されたパーム繊維と、少量の床内保水防腐剤とからなる混合材料を所定厚さに成型後乾燥させて得た育苗床本体２と、細粉化された竹繊維と、葦・藁・薄等のイネ科植物繊維とからなる非木材繊維と、打壊処理されたパーム繊維と、少量の防腐剤と、少量の土とからなる混合材料を前記育苗床本体２よりも薄く成型後乾燥させて得た育苗床用覆土材１とからなる育苗床である。
【０００８】
又、請求項４に記載の第４発明は、竹、葦等イネ科植物の非木材繊維と、打壊処理されたパーム繊維と、少量の床内保水防腐剤と、更に防黴剤、育苗水浄化剤、少量の肥料のうちから少なくとも１種類以上の成分を添加した混合材料を所定厚さに成型後乾燥させて得た育苗床本体２と、細粉化された竹繊維と、葦・藁・薄等のイネ科植物繊維とからなる非木材繊維と、打壊処理されたパーム繊維と、少量の防腐剤と、少量の土と、更に防黴剤、水浄化剤の１種類以上の成分を添加した混合材料を前記育苗床本体２よりも薄く成型後乾燥させて得た育苗床用覆土材１とからなる育苗床である。
【発明の効果】
【０００９】
本発明にいう育苗床用覆土材は、細粉化された竹繊維と、葦・藁・薄等のイネ科植物繊維とからなる非木材繊維と、打壊処理されたパーム繊維と、少量の防腐剤と、少量の土を混合して圧縮成型後乾燥させた構造であるから、育苗床本体に播種した種子の上に積層した後潅水することによりマット状となった構造中に必要な水分を確保すると同時に固形状態が崩されて細粉状態となり、種子間の空間を埋めて播種された種子の周りを保護して種子の流失移動を防止し、更には発芽時に於いて幼芽・幼根の正常な発育を促すと共に、防腐剤の作用により育苗床中に保持されている水分を常に清浄に維持する作用を有する。又、防黴剤と水浄化剤を添加された覆土材では、黴の繁殖を阻止して黴が苗の発育の阻害要因となることを防止し、水を浄化して、前述した防腐剤や防黴剤の作用と相俟って、生育中の苗に病害が発生することを防止する効果を有し、正常な苗の着床状態を促進し、優れた性質の苗に発育させる効果を有する。
【００１０】
更に、育苗作業に於いては、構造、寸法が規格化され、育苗箱内に配置された育苗床本体上に載置して潅水するだけでよいので、播種も含めて全ての作業を機械化することが可能であり、その上、種子の移動、流失を抑制するので、発芽後に欠株が生じる事が無く田植機による以降の苗植作業の能率向上に大きく寄与する効果を有する。又、苗の生育が良好で根部と植物体とをバランスよく成長させて徒長を抑制するので成長時期に於いて風によって植物体が倒れると言う風害を受けにくく、農作業の能率向上のみならず収穫量を増大させるという特徴をも期待することができる。
【００１１】
尚、本発明の育苗床用覆土材は、育苗箱内に収容された通常の土壌面に播種を行う従来の育苗法の覆土材として適用可能であり。従来の覆土に代えて使用することにより育苗箱への覆土作業の能率向上と均一化をはじめとし、上記した諸々の効果を保有せしめる効果を有する。
【００１２】
本発明にいう育苗床は、竹素材と葦等イネ科植物の素材とからなる非木材繊維と、打壊処理されたパーム繊維と、床内保水防腐剤とを主材料として混合した混合材料を圧縮成型後乾燥させた育苗床本体に、同じく本発明の育苗床用覆土材を種子を挟んで積層される構造であるから、マット状となった構造体中に必要な清浄に保持された水分を確保し、又、防黴剤と育苗水浄化剤並びに肥料等を添加された実施例では、黴の繁殖による苗の発育阻害の防止、苗に対する病害発生の阻止、苗の生育促進等、前述した育苗床本体と同様に優れた性質の苗に発育させる基本的な効果を有し、根部と植物体とをバランスよく成長させて徒長を抑制するので成長時期に於いて風によって植物体が倒れると言う風害を受けにくく、丈夫な苗を育成できる。又、規格化された構造、寸法の育苗床本体と種子の播種層を挟んで育苗床用覆土材とを育苗箱５内に配置して育苗床用覆土材の上から潅水するだけでよいので、播種も含めて全ての作業を機械化することが可能であり、育苗床本体の表面に多数の誘導根穴を形成してなる実施例では、発芽した幼苗は、育苗床本体中に根を均等に伸張させて苗の着床状態を完全にし、欠株が生じにくいので田植機による以降の苗植作業の能率を高めることができる等、前述した育苗床用覆土材の有する特徴を生かし、同様な効果を有する。
【００１３】
更に上記による本発明による育苗床用覆土材並びに育苗床は、育苗期間約３０乃至４０日間で全体容積の４０乃至４５％程度が生分解され、定植後ほぼ２０日以内で完全に生分解され土壌化して消滅するので、残床処理の必要はない。従って、従来の育苗床のように残床の除去並びに廃棄処理のために多大の手数を要する事がなく、そのまま土中に埋没し土壌化した育苗床は自然の栄養素となり、環境の破壊や汚染の残留、病害の蔓延といった公害問題が解消するという効果をも有するに至ったのである。
【発明を実施するための最良の形態】
【００１４】
上記した本発明の育苗床における育苗床用覆土材１並びに育苗床本体２を実施するには、混合材料として、使用される植物素材のうち、竹素材は、間伐材や小枝などの廃材も原料とし、生のままか又は煮沸処理をして用いる。葦・藁・薄等の素材も生のままか又は煮沸処理をして用いる。パーム繊維は打壊処理をしてから使用する。これら3種類の繊維の混合比率は、育苗床本体２においては、竹素材が5乃至10重量％、葦等の素材は２５乃至５２重量％、打壊処理したパーム繊維は４０乃至６０重量％と、更に水防腐剤１乃至５重量％からなっている。又、育苗床用覆土材１においては、細粉化された竹素材４乃至９重量％及び同じく細粉化された葦等の素材５１乃至２４重量％の夫々を生のままか又は煮沸処理をしたものと、打壊処理されたパーム繊維３９ないし５８重量％、水防腐剤１乃至５重量％と、更に３乃至４重量％の土とからなっている。又、これらの外形寸法は従来の育苗箱に収容出来る寸法であることは言うまでもない。育苗床用覆土材１の外周寸法は育苗床本体２と同じとするが、厚さは従来の土を利用した覆土層と同程度の薄いものとする。又、育苗床本体２に多数の小さな誘導根穴２１を形成して、種子の移動防止作用と育苗床本体２の全体への吸収を促進させるのがよい。
【００１５】
又、育苗床用覆土材１並びに育苗床本体２を構成する混合材料には、上記した繊維性の主材料と共に床内保水防腐剤に加えて、防黴剤、育苗水浄化剤、肥料の内少なくとも１種類以上の成分を添加物として夫々混合して用いられる。床内保水防腐剤は育苗中に育苗床内に吸蔵されている水分を浄化するために添加するもので、木炭又は竹炭又は両者を適当に混合して粉砕して使用し、その粉末の混合割合は３乃至５重量％である。又、防黴剤は育苗中に植物繊維に黴が発生して生育中の苗に病害が発生することを防止するために添加するもので、パーム繊維には山椒又は山椒と同一種の植物の葉、実、樹皮等を乾燥後２００μｍ程度に粉砕するか或いは水に混和して３０％程度の液体状としたものを３乃至７重量％の割合で混合し、葦素材には唐辛子を乾燥後200μｍ程度に粉砕するか或いは水に混和して30％程度の液体状としたものを３乃至７重量％の割合で混合して使用する。育苗水浄化剤は育苗中に供給される水を浄化して苗に病害が発生することを防止するために添加するもので、木酢液又は竹酢液を２乃至５重量％の割合で混合して使用する。肥料は周知の窒素肥料、燐酸肥料、カリ肥料を１：１．６：１に配合したものを０．０１乃至０．０２重量％の割合で混合して使用する。
【００１６】
第1発明並びに第２発明にいうところの育苗床用覆土材１は、第3発明以下で説明する育苗床本体２に覆い被せるようにして配置されて育苗床が形成されるが、図４に示すように、別途、従来から使用されている播種後覆土に代えて育苗箱５内に配置され通常の土壌４に覆い被せられ潅水されて使用することができる。潅水することによって育苗床用覆土材１は柔軟となり、分離して種子の表面や種子間の小空間を満たし、種子が完全に覆土されたと同じ状態となる。
【００１７】
第３発明に該当する育苗床においては、竹素材、葦素材、打壊処理したパーム繊維、床内保水防腐剤として粉砕した木炭又は竹炭からなる混合材料を所定厚さに成型後乾燥させて、板状となったマット質の育苗床本体２を得る。更に必要に応じてその表面に多数の誘導根穴２１を形成してもよい。又、細粉化された竹、葦等イネ科植物の非木材繊維、打壊処理されたパーム繊維、床内保水防腐剤と、少量の土とからなる混合材料を前記育苗床本体２より小なる厚さに成型後乾燥させて、同じく薄板状のマット質となった第1発明に該当する育苗床用覆土材１を得る。
【００１８】
又、第４発明に該当する育苗床は、上記の第３発明に該当する育苗床を構成する混合された主材料に、更に防黴剤、育苗水浄化剤、肥料の内から少なくとも1種類以上の添加物を用いる。防黴剤としてパーム繊維には山椒又は山椒と同一種の植物の葉、実、樹皮等を、又、葦素材には唐辛子を、夫々乾燥後２００μｍ程度に粉砕するか或いは水に混和して３０％程度の液体状としたものを３乃至７重量％、育苗水浄化剤として木酢液又は竹酢液を２乃至５重量％、肥料として窒素肥料、カリ肥料、燐酸肥料を１：１．６：１に配合したものを０．０１乃至０．０２重量％を夫々の割合にしたがって混合した混合材料を所定厚さに成型後乾燥させて、マット状となった多孔質の育苗床本体２又は第２発明に該当する育苗床用覆土材１を得る。更に育苗床本体２には必要に応じてその表面に多数の誘導根穴２１を形成して育苗床とする。
【００１９】
上記実施形態で製造された育苗床は、育苗床本体２を育苗箱５内に配置し、十分に潅水して上面に種子３を播種する。次に播種された面に育苗床用覆土材１を被せて再度潅水することで、育苗床用覆土材１は柔軟となって播種面を覆うので播種後に従来の如く覆土する必要はない。マット状となった育苗床は発芽後も生育に必要な期間、構造体中に必要な水分を確保し、床内保水防腐剤として添加した木炭粉末又は竹炭粉末の作用により育苗床中に保持されている水分を常に浄化して清浄に維持する。又、山椒の植物体や唐辛子を使用した防黴剤の作用で黴の繁殖を阻止して、黴が苗の発育の阻害要因となることを防止する。更に、育苗水浄化剤として添加された木酢液又は竹酢液は、供給される育苗水の清浄を保ち、前述した木炭粉末又は竹炭粉末の床内保水浄化作用及び防黴剤として添加された山椒や唐辛子の防黴作用と相俟って、生育中の苗に病害が発生して蔓延することを防止する。又、混合された肥料は苗の生育に資する効果を有することは言うまでもない。
【００２０】
稲に関する場合、発芽した幼苗は育苗床本体２中に根を伸張させ、欠株が生じにくいので田植機による以降の農作業の能率を高めることが出来る。更に根部と植物体とをバランスよく成長させて徒長を抑制するので成長時期に於いて風によって植物体が倒れると言う風害を受けにくい特徴を有する。上記による本発明の育苗床は、育苗期間約３０乃至４０日間で全体容積の４０乃至４５％程度が生分解され、定植後ほぼ２０日以内で完全に生分解されて消滅し、残床処理の必要はない。従って、従来のように残床の除去並びに廃棄処理のために多大の手数を要する事がなく、そのまま土中に埋没させられた残床がその後の栽培に支障をきたすこともなくなって、環境の破壊や汚染の残留、病害の蔓延といった公害問題が解消する事となる。
【実施例】
【００２１】
以下本発明の各種の実施例を前記発明の実施の形態欄の記載事項並びに図面に基づいて説明する。図１は第３実施例の外観を示す斜視図、図２は作業途上の使用状態の説明用断面図、図３は使用状態の説明用断面図である。
【００２２】
第１実施例：  第１実施例は基本的な構成の育苗床用覆土材１である。本実施例は、粉砕した竹素材が１０重量％、同じく葦素材は３０重量％、打壊処理したパーム繊維は５１重量％、床内保水防腐剤とて粉砕した木炭を５重量％、土４重量％混合した混合材料を圧縮成型後乾燥させて、マット状となった多孔質の育苗床用覆土材１を得た。この育苗床用覆土材１は後述する育苗床本体２より薄く成形され、大略外形寸法は約570ｍｍ×275ｍｍ×4ｍｍ、重量約１００ｇｒである。外観は第３実施例とともに図１に示す。
【００２３】
第２実施例：  粉砕した竹素材が１０重量％及び葦素材３０重量％を夫々煮沸処理をしたものに打壊処理したパーム繊維は５１重量％、床内保水防腐剤とて粉砕した木炭を５重量％、土４重量％混合した基本材料１に対して、床内保水防腐剤とて粉砕した木炭を５重量％混合し、更に防黴剤としてパーム繊維には山椒の植物の葉、実、樹皮等を、又、葦素材には唐辛子を、夫々乾燥後２００μｍ程度に粉砕するか或いは水に混和して３０％程度の液体状としたものを３重量％、育苗水浄化剤として木酢液を２重量％、肥料として窒素肥料、カリ肥料、燐酸肥料を１：１．６：１に配合したものを０．０２重量％の割合で添加した混合材料を成形した育苗床用覆土材１を得た。外形寸法は第１実施例と同じである。
【００２４】
第３実施例：  この実施例は基本的な構成の育苗床で、育苗床本体２と上記した育苗床用覆土材１とで形成される。本実施例の育苗床本体２は、粉砕した竹素材が１０重量％、同じく葦素材は３０重量％、打壊処理したパーム繊維は５５重量％、床内保水防腐剤とて粉砕した木炭を５重量％混合した混合材料を圧縮成型後乾燥させて、マット状となった多孔質の育苗床本体２を得た。本実施例の表面には多数の誘導根穴２１が形成されている。育苗床用覆土材１は第１実施例と同一である。図１に本実施例の外観構造を示す。又、図２はこの育苗床本体２及び育苗床用覆土材１を使用した育苗床の作業途上の状態を模型的に示す断面図で、図中の符号３は種子を、符号５は育苗箱を夫々示す。図３は、図２の状態となった育苗床に仕上げ作業として潅水した後の状態を模型的に示す断面図である。この実施例の育苗床本体２の外形寸法は約570ｍｍ×275ｍｍ×14ｍｍ、重量約３００ｇｒである。この第３実施例並びに第１実施例のごとく混合材料に肥料を含まないものは施肥をして使用することが望ましい。
【００２５】
第４実施例：  この実施例は煮沸処理した竹素材が９重量％、葦素材は２８重量％、打壊処理したパーム繊維は５０重量％、床内保水防腐剤とて粉砕した木炭を４．５重量％、更に、防黴剤としてパーム繊維に対し山椒の実を乾燥後２００μｍ程度に粉砕した粉末を、又、葦素材に対し唐辛子を乾燥後２００μｍ程度に粉砕した粉末を夫々２．５重量％、育苗水浄化剤として木酢液を約３．５重量％、肥料として窒素肥料と燐酸肥料とカリ肥料料とを１：１．６：１に配合したものを０．０２重量％を夫々の割合に混合した混合材料を圧縮成型後乾燥させて、マット状となった多孔質の育苗床本体２を得る。更にその表面に多数の誘導根穴２１を形成している。育苗床用覆土材１は前記第２実施例と同一である。この実施例も、見かけの構造、形状が第１実施例と類似しているので図示は省略する。
【００２６】
第３実施例：  第３実施例は煮沸処理した竹素材が９重量％、葦素材は２８重量％、打壊処理したパーム繊維は５０重量％、床内保水防腐剤とて粉砕した竹炭を４．５重量％、更に、防黴剤としてパーム繊維に対し山椒の実を乾燥後２００μｍ程度に粉砕した粉末を、又、葦素材に対し唐辛子を乾燥後２００μｍ程度に粉砕した粉末を夫々２．５重量％、育苗水浄化剤として竹酢液を約３．５重量％、肥料として窒素肥料と燐酸肥料とカリ肥料料とを１：１．６：１に配合したものを０．０２重量％を夫々の割合に混合した混合材料を圧縮成型後乾燥させて、マット状となった多孔質の育苗床本体２を得る。更に、その表面に多数の誘導根穴２１を形成している。育苗床用覆土材は第２実施例と同じく上記育苗床本体２の混合材料に更に土を４重量％混合している。この第３実施例は、見かけの構造、形状が第１実施例と類似しているので図示は省略する。
【００２７】
以上本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【産業上の利用可能性】
【００２８】
本願発明は、稲作農業の作業分野に於いて育苗床の培地の準備、播種、幼苗の成長管理、田植え等にかかはる部分の改良に関し、既製の育苗箱に適合する寸法、成長管理に必要な成分を完全に含有する規格化された育苗床本体ならびに育苗床用覆土材を使用するので、農作業が簡単となって効率を高め、根張りがよく、しっかりした苗を育てることが出来ると共に、一連の作業が、設備、作業方法とも現行手段と同等であることから、稲作に関して従来の手段に代わって普及するものと思われる。
【図面の簡単な説明】
【００２９】
【図１】本発明の第１実施例の外形を示す斜視図。
【図２】同第１実施例の作業中の一過程を模型的に示す説明用の断面図。
【図３】同第１実施例の使用状態を模型的に示す説明用の断面図。
【図４】同本発明の育苗床用覆土材を従来の育苗床に適用した状態を示す断面図。
【符号の説明】
【００３０】
１  育苗床用覆土材
２  育苗床用本体
２１  誘導根穴
３  種子
４  土壌
５  育苗箱
【図１】
2006223171.tif 000003
【図２】
2006223171.tif 000004
【図３】
2006223171.tif 000005
【図４】
2006223171.tif 000006